(57)【要約】【課題】スクリーンが所定の位置に昇降された場合、その昇降を停止するロールスクリーンの昇降ストッパー及びその昇降停止方法の提供を図る。【解決手段】昇降ストッパーは、ボールチェーンの操作を停止するストッパー本体１と、そのストッパー本体１に設けられる穴部２と、前記ストッパー本体１の外縁から前記穴部２に渡って設けられる切り込み３とを備える。ボールチェーンＲ３のコード部分を切り込み３を通じて穴部２に通して、ボールチェーンＲ３にストッパー本体１を取り付ける。これにより、スクリーンが所定の位置に昇降された場合、ボールチェーンの操作を制御し、ロールスクリーンの昇降を停止することができる。【選択図】図１
2005264726.tif 000002
【特許請求の範囲】
【請求項１】
ロールスクリーンの昇降を操作するボールチェーンに取り付けてボールチェーンの操作を制御するものであって、前記ボールチェーンの操作を停止するストッパー本体と、そのストッパー本体に設けられる穴部と、前記ストッパー本体の外縁から前記穴部に渡って設けられる切り込みと、を備えることを特徴とするロールスクリーンの昇降ストッパー。
【請求項２】
前記ストッパー本体に衝撃緩和手段を設けたことを特徴とする請求項１記載のロールスクリーンの昇降ストッパー。
【請求項３】
前記切り込みを開口し難い形態で設けたことを特徴とする請求項１または請求項２に記載のロールスクリーンの昇降ストッパー。
【請求項４】
前記ストッパー本体が合成樹脂製であることを特徴とする請求項１から請求項３のいずれかに記載のロールスクリーンの昇降ストッパー。
【請求項５】
ボールチェーンでスクリーンの昇降を操作するロールスクリーンにおいて、ボールチェーンにスクリーンの昇降を停止させるためのストッパーを取り付けることを特徴とするロールスクリーンの昇降停止方法。
【発明の詳細な説明】
【技術分野】
【０００１】
本発明は、ロールスクリーンにおけるスクリーンの昇降ストッパー及びその昇降停止方法に関するものである。
【背景技術】
【０００２】
従来のロールスクリーンには、ボールチェーン（操作コード）を引いてスクリーンの昇降を行うものがある。このチェーン式のロールスクリーンは、一般には窓や部屋に吊るして、すだれ・間仕切りとして用いられているものである。
【０００３】
従来のロールスクリーンを図５及び図６に基づいて説明する。ロールスクリーンＲには、スクリーンＲ１を巻き取る巻取りパイプＲ６の一端部にホイールカバーＲ２が設けられ、そのホイールカバーＲ２からボールチェーン（操作コード）Ｒ３が導出されている。ホイールカバーＲ２には、ボールチェーンＲ３の導出口Ｒ５が設けられている。また、ボールチェーンＲ３は、所定の間隔でボールＲ４を有するものである。ボールチェーンＲ３を操作することにより、スクリーンＲ１は巻取りパイプＲ７内に巻き込まれ、昇降する。（例えば、特許文献１）
【０００４】
スクリーンＲ１を所定の位置（又は長さ）に昇降させる場合、スクリーンＲ１の位置を確認しながらホールチェーンを操作する。しかし、スクリーンＲ１の位置を確認しながらホールチェーンを操作することは煩わしい。また、常にスクリーンＲ１を同じ位置で停止することは困難である。そのため、再度位置の調整を行わなければならず、ロールスクリーンの昇降操作を繰り返すという無駄な作業を強いられていた。
【０００５】
【特許文献１】特開平７−２３３６８４号公報
【発明の開示】
【発明が解決しようとする課題】
【０００６】
本発明は、上述の問題を解決するものであって、スクリーンＲ１が所定の位置に昇降された場合、その昇降を停止するロールスクリーンの昇降ストッパー及びその昇降停止方法を提供することを目的とするものである。
【課題を解決するための手段】
【０００７】
前記目的を達成するため、本発明は、ロールスクリーンの昇降を操作するボールチェーンに取り付けてボールチェーンの操作を制御するものであって、前記ボールチェーンの操作を停止するストッパー本体と、そのストッパー本体に設けられる穴部と、前記ストッパー本体の外縁から前記穴部に渡って設けられる切り込みと、を備えた構成となっている。
【０００８】
また、本発明は、前記ストッパー本体に衝撃緩和手段を設けた構成を採用することができる。
【０００９】
さらに、本発明は、前記切り込みを開口し難い形態で設けた構成とすることもできる。
【００１０】
そしてまた、本発明は、前記ストッパー本体が合成樹脂により成形されている構成を採ることもできる。
【００１１】
そしてまた、本発明のロールスクリーンの昇降停止方法は、ボールチェーンでスクリーンの昇降を操作するロールスクリーンにおいて、前記ボールチェーンに前記スクリーンの昇降を停止させるためのストッパーを取り付けるようにしたものである。
【発明の効果】
【００１２】
本発明にかかるロールスクリーンの昇降ストッパー及びその昇降停止方法は、スクリーンが所定の位置に昇降された場合に、ボールチェーンの操作を制御し、スクリーンの昇降を停止するようにしたものである。これにより、スクリーンの昇降位置を確認しなくても常に同じ位置に昇降することができる。したがって、従来のように、スクリーンの昇降位置を確認しながらホールチェーンを操作する必要がない。また、スクリーンの長さを再度調整する必要もなくなり、ロールスクリーンを利用する人の利便を図ることができる。
【発明を実施するための最良の形態】
【００１３】
本発明は、ロールスクリーンにおけるスクリーンが所定の昇降位置に昇降された場合に、ボールチェーンの操作を制御して、ロールスクリーンの昇降動作を停止させることを最大の特徴とする。以下、本発明にかかるロールスクリーンの昇降ストッパー及びその昇降停止方法を図面に基づいて説明する。
【００１４】
図１は、本発明にかかる昇降ストッパーを示す斜視図である。本発明の昇降ストッパーは、ストッパー本体１と、そのストッパー本体１に形成される穴部２と、ストッパー本体１の外縁から穴部２に渡って設けられる切り込み３とからなるものである（図１（ａ）乃至（ｄ））。ストッパー本体１は、の外形は導出口Ｒ５の開口部より広く形成されている。穴部２はストッパー本体１のほぼ中央部に形成され、その穴の大きさはボールＲ４より小径に設定され、ボールＲ４が穴部２を通り抜けないようになっている。
【００１５】
ストッパー本体１の形状としては、平板（図１（ａ））、椀形（図１（ｂ））、弓形（図１（ｃ））、波形（図１（ｄ））が考えられるが、これらに限るものではない。図１（ｂ）乃至（ｄ）の形状は、ストッパー本体１の上面が穴部３を頂点する球面状の形状２ａを含むものである。ストッパー本体１はボールチェーン操作時に後述する衝撃を受けるため、衝撃緩衝手段として穴部３を頂点する球面状の形状２ａを形成することにより、ストッパー本体１を保護できる。平板のストッパー本体１については、衝撃緩衝手段として、穴部２に突出部２ａを設けることが考えられる（図２（ａ）及び（ｂ））。
【００１６】
また、切り込み３は、ストッパー本体１に対し斜めの切れ目４を入れることが好ましい（図３（ａ））。さらには、ストッパー本体１の上面から下面に向けて波形の切れ目４を入れ（図３（ｂ））、または、切り込み３部分を重収させた部分４を設ける（図３（ｂ））ようにしてもよい。上記の切れ目４、または、重収させた部分４は、切り込み３が手で開口しない限り容易に開口し難くするための形態であり、ストッパー本体１が強い衝撃を受けた場合に、切り込み３が開口することによってボールチェーンＲ３からストッパー本体１が外れるのを防止するものである。また、同じ効果を得るために、切り込み３をストッパー本体１の外縁から穴部に向けてカギ形（図４（ａ））や波形（図４（ｂ））に設けてもよい。
【００１７】
尚、かかるストッパー本体１の材質については、ゴムやプラスチック、発泡体、金属等、特に限定するものではない。しかしながら、後述するボールチェーンＲ３へのストッパー本体１の取り付けや、該ストッパー本体１がホイールカバーＲ２の導入口Ｒ５に接した際の緩衝等を考慮すると、合成樹脂製とすることが望ましく、また、合成樹脂であっても、ある程度の弾性を有するものが望ましい。かかる弾性の程度については、例えば、ストッパー本体１における切り込み３を手の力で開口でき且つかかる手の力を解除した場合に本来の形状に自然と戻る程度、あるいは、ストッパー本体１がホイールカバーＲ２の導入口Ｒ５に強く接した場合であっても切り込み３が開口しない程度などを基準に決定される。
【００１８】
次に、本発明の昇降ストッパー（ストッパー本体１）の取り付けについて図７に基づいて説明する。ストッパー本体１の切り込み３の左右を両手Ｈで保持し（図７（ａ））、上下に開口して切り込み３を開口し、その開口された切り込み３を通じてボールチェーンＲ３のコード部分を穴部２まで導き入れて（同図（ｂ））、穴部２にボールチェーンＲ３の操作コード部分を通す（同図（ｃ））。このとき、ストッパー本体１の下面が取り付けられたボールチェーンＲ３のコード部分の下方に位置するボールＲ４と接し、ストッパー本体１はボールＲ４によって支持された状態で、ボールチェーンＲ３に取り付けられることになる（図５）。
【００１９】
次に、本発明の昇降ストッパー（ストッパー本体１）の作用を図６に基づいて説明する。ストッパー本体１をボールチェーンＲ３に取り付けた状態で（図５）、ボールチェーンＲ３を操作すると、ストッパー本体１がホイールカバーＲ２の導入口Ｒ５に接するまでは、その操作に伴いスクリーンＲ１は巻取りパイプＲ７に巻き取られ、昇降する。しかし、導入口Ｒ５に至ると、ストッパー本体１の上面はホイールカバーＲ２に当接し、下面はボール４により支持されるため、ボールチェーンＲ３の操作を停止させる。同時に、ロールスクリーンＲの昇降動作も停止し、スクリーンＲ１が所定の昇降位置に止まる。
【００２０】
なお、ストッパー本体１がホイールカバーＲ２に接する際、ストッパー本体１の上面はホイールカバーＲ２と衝突するため、その衝撃を緩和し、ストッパー本体１が外れることを防止する必要がある（図１乃至４）。
【００２１】
本発明にかかるロールスクリーンの昇降停止方法は、ボールチェーンＲ３を操作してスクリーンＲ１の昇降を行うロールスクリーンＲにおいて、ボールチェーンＲ３にストッパー本体１を取り付けることにより、スクリーンＲ１の巻取りを停止するようにしたものである。
【００２２】
以上のように、本発明によると、ボールチェーンＲ３の操作時にスクリーンＲ１の昇降位置を確認しなくても、常にスクリーンＲ１を希望する位置に昇降させることが可能になる。
【産業上の利用可能性】
【００２３】
本発明にかかるロールスクリーンの昇降ストッパー及びその昇降停止方法は、上述した構成からなり、単にボールチェーンによって昇降を行うロールスクリーンに限らず、同様にホイールカバー・導入口を備えボールチェーンにより位置調整を行うような器具であれば、該器具へも応用することが可能である。
【図面の簡単な説明】
【００２４】
【図１】本発明にかかる昇降ストッパーを示す斜視図である。
【図２】本発明にかかる他の昇降ストッパーを示す斜視図並びに断面図である。
【図３】本発明にかかる昇降ストッパーに設けられた切り込みを示す部分拡大図である。
【図４】本発明にかかる昇降ストッパーに設けられた他の切り込みを示す部分拡大図である。
【図５】ロールスクリーンを示す正面図である。
【図６】本発明にかかる昇降ストッパーの使用状態を示す部分拡大図である。
【図７】本発明にかかる昇降ストッパーの取り付け方法を示す説明図である。
【符号の説明】
【００２５】
１    ストッパー本体
２    穴部
２ａ  衝撃緩衝手段
３    切り込み
４    切れ目
Ｒ    ロールスクリーン
Ｒ１  スクリーン
Ｒ２  ホイールカバー
Ｒ３  ボールチェーン
Ｒ４  ボール
Ｒ５  導出口
Ｒ６  巻取りパイプ
【図１】
2005264726.tif 000003
【図２】
2005264726.tif 000004
【図３】
2005264726.tif 000005
【図４】
2005264726.tif 000006
【図５】
2005264726.tif 000007
【図６】
2005264726.tif 000008
【図７】
2005264726.tif 000009